(57)【特許請求の範囲】
【請求項１】
電力を供給可能な外部電源装置であるＡＣアダプタに備えられた所定の極性のＤＣプラグに接続される機器本体側のＤＣジャックと、
前記ＤＣジャックを介して電力が供給される負荷回路と、
前記負荷回路に電力を供給可能に接続された電池を収納する電池収納部と、
を有する、電源の接続異常を報知する電子機器であって、
前記ＡＣアダプタの前記ＤＣプラグが前記ＤＣジャックに接続されないときには、前記電池の正極側と前記負荷回路とを導通する第１状態に切り替わり、前記ＡＣアダプタの前記ＤＣプラグが前記ＤＣジャックに接続されたときには、前記電池の正極側と前記負荷回路とを非導通とする第２状態に切り替わる、切替機構と、前記切替機構が前記第２状態に切り替わり、かつ、前記負荷回路に必要な電力が前記ＡＣアダプタから前記負荷回路に供給されていない、接続異常状態を検出する、接続異常検出手段と、前記接続異常検出手段が前記接続異常状態を検出したとき、対応する報知を行う接続異常報知手段と、を有する制御回路と、
前記切替機構が前記第２状態に切り替わり、かつ、前記負荷回路に必要な電力が前記ＡＣアダプタから前記負荷回路に供給されていないときに、前記電池から前記制御回路への電力供給を確保するための電力補助手段と、
を有し、
前記接続異常検出手段は、
前記電力補助手段により確保された電力に基づき動作して、前記ＤＣジャックの接地側端子の電圧値の変化挙動に応じて前記接続異常状態を検出するとともに、
前記ＤＣジャックの前記接地側端子の電圧値又はその分圧値が、
前記切替機構が前記第１状態に切り替わることにより、前記負荷回路に必要な電力を供給している、アダプタ非接続状態に対応した第１電圧範囲、
若しくは、
前記切替機構が前記第２状態に切り替わることにより、前記ＡＣアダプタが前記負荷回路に必要な電力を供給している、アダプタ正常接続状態に対応した第２電圧範囲、
若しくは、
前記切替機構が前記第２状態に切り替わるとともに、前記電池が前記電力補助手段を介して前記制御回路に必要な電力を当該制御回路に備えられる定電圧回路に供給している、アダプタ無給電状態に対応した第３電圧範囲、
のいずれに属するかを判定する電圧判定手段である
ことを特徴とする、電源の接続異常を報知する電子機器。
【請求項２】
請求項１記載の電源の接続異常を報知する電子機器において、
前記電圧判定手段は、
前記ＤＣジャックの前記接地側端子の電圧値又はその分圧値が、
前記第１電圧範囲、若しくは、前記第２電圧範囲、若しくは、前記第３電圧範囲、若しくは、
前記ＤＣプラグと前記ＤＣジャックとが前記所定の極性とは逆の極性により接続された、アダプタ逆極性接続状態に対応した第４電圧範囲、
のいずれに属するかを、判定する
ことを特徴とする、電源の接続異常を報知する電子機器。
【発明の詳細な説明】
【技術分野】
【０００１】
本発明は、ＤＣプラグを介し電力の供給を受ける、電源の接続異常を報知する電子機器に関する。
【背景技術】
【０００２】
外部電源装置の給電端子に対し受電端子を接続することで電力の供給を受ける電子機器として、例えば特許文献１記載の技術が知られている。この従来技術では、受電端子（電源端子）を一つに共通化することにより、ＡＣアダプタ、外部バッテリー、カーバッテリー等の様々な外部電源装置に対応可能となっている。
【先行技術文献】
【特許文献】
【０００３】
【特許文献１】特開平５−１８４０６５号公報
【発明の概要】
【発明が解決しようとする課題】
【０００４】
上記のように、外部電源装置の給電端子に機器本体側の受電端子を接続して給電を受ける構成の場合、一般的に、機器本体中の負荷に対し、電池、及び、外部電源装置のいずれによっても、電力を供給可能に構成されている。そして、操作者が外部電源装置の給電端子と機器本体側の受電端子とを接続せずに用いる場合には、電池の正極側と負荷回路とが導通され電池から負荷回路へと電力が供給される。操作者が外部電源装置の給電端子と受電端子とを接続して用いる場合には、電池の正極側と負荷回路とが非導通となって外部電源装置から負荷回路へと電力が供給される。
【０００５】
ここで、前述のように電池の正極側と負荷回路とが非導通となっているにもかかわらず、操作者の失念や外部電源装置への外力負荷等、何らかの理由で外部電源装置の１次電源側への接続が行われず（又は接続が外れ）、外部電源装置から負荷回路への電力供給が行われない可能性があり得る。あるいは、本来は所定の極性（順極性）である給電端子が接続されるべき機器本体側の受電端子に対し、操作者が誤って逆の極性（逆極性）の給電端子を接続してしまう可能性もある。このような接続異常状態では、電池からは負荷回路へは電力供給が行われないにもかかわらず、外部電源装置からも負荷回路に電力供給が行われない。
【０００６】
上記従来技術は、種々の外部電源装置への接続に対応するものであるが、上記のような接続異常状態については特に配慮されていなかった。
【０００７】
本発明の目的は、接続異常を検出し報知を行うことで、接続異常状態を操作者に確実に認識させることができる、電源の接続異常を報知する電子機器を提供することにある。
【課題を解決するための手段】
【０００８】
上記目的を達成するために、本願発明は、電力を供給可能な外部電源装置であるＡＣアダプタに備えられた所定の極性のＤＣプラグに接続される機器本体側のＤＣジャックと、前記ＤＣジャックを介して電力が供給される負荷回路と、前記負荷回路に電力を供給可能に接続された電池を収納する電池収納部と、前記ＡＣアダプタの前記ＤＣプラグが前記ＤＣジャックに接続されないときには、前記電池の正極側と前記負荷回路とを導通する第１状態に切り替わり、前記ＡＣアダプタの前記ＤＣプラグが前記ＤＣジャックに接続されたときには、前記電池の正極側と前記負荷回路とを非導通とする第２状態に切り替わる、切替機構と、前記切替機構が前記第２状態に切り替わり、かつ、前記負荷回路に必要な電力が前記ＡＣアダプタから前記負荷回路に供給されていない、接続異常状態を検出する、接続異常検出手段と、前記接続異常検出手段が前記接続異常状態を検出したとき、対応する報知を行う接続異常報知手段と、を有する制御回路と、前記切替機構が前記第２状態に切り替わり、かつ、前記負荷回路に必要な電力が前記ＡＣアダプタから前記負荷回路に供給されていないときに、前記電池から前記制御回路への電力供給を確保するための電力補助手段と、を有し、前記接続異常検出手段は、前記電力補助手段により確保された電力に基づき動作して、前記ＤＣジャックの接地側端子の電圧値の変化挙動に応じて前記接続異常状態を検出するとともに、前記ＤＣジャックの前記接地側端子の電圧値又はその分圧値が、前記切替機構が前記第１状態に切り替わることにより、前記負荷回路に必要な電力を供給している、アダプタ非接続状態に対応した第１電圧範囲、若しくは、前記切替機構が前記第２状態に切り替わることにより、前記ＡＣアダプタが前記負荷回路に必要な電力を供給している、アダプタ正常接続状態に対応した第２電圧範囲、若しくは、前記切替機構が前記第２状態に切り替わるとともに、前記電池が前記電力補助手段を介して前記制御回路に必要な電力を当該制御回路に備えられる定電圧回路に供給している、アダプタ無給電状態に対応した第３電圧範囲、のいずれに属するかを判定する電圧判定手段であることを特徴とする。
【０００９】
本願発明の電源の接続異常を報知する電子機器は、負荷回路に対し、電池、及び、外部電源装置であるＡＣアダプタのいずれによっても、電力を供給可能に構成されている。すなわち、操作者がＡＣアダプタのＤＣプラグと機器本体側のＤＣジャックとを接続せずに用いる場合には、切替機構が電池の正極側と負荷回路とを導通する（第１状態）ことにより、電池から負荷回路へと電力が供給される。操作者がＡＣアダプタのＤＣプラグとＤＣジャックとを接続して用いる場合には、切替機構が電池の正極側と負荷回路とを非導通とする（第２状態）ことにより、ＡＣアダプタから負荷回路へと電力が供給される。
【００１０】
ここで、上記のように切替機構が第２状態となっているにもかかわらず、操作者の失念やＡＣアダプタへの外力負荷等、何らかの理由でＡＣアダプタの１次側給電プラグの１次電源側への接続が行われず（又は接続が外れ）、ＡＣアダプタから負荷回路への電力供給が行われない可能性があり得る。あるいは、本来は所定の極性（順極性）であるＤＣプラグが接続されるべき機器本体側のＤＣジャックに対し、操作者が誤って逆の極性（逆極性）のＤＣプラグを接続してしまう可能性もある。このような接続異常状態では、切替機構が第２状態に切り替わり、電池からは負荷回路へは電力供給が行われないにもかかわらず、ＡＣアダプタからも負荷回路に電力供給が行われない。
【００１１】
そこで、本願発明においては、接続異常検出手段を設けて上記のような接続異常を検出するとともに、当該接続異常の検出時には、接続異常報知手段が対応する報知を行う。これにより、操作者に対し、上記のような接続異常状態にあることを報知し、動作不都合が生じている原因が何であるかを確実に認識させることができる。
【発明の効果】
【００１２】
本発明によれば、接続異常を検出し報知を行うことで、接続異常状態を操作者に確実に認識させることができる。
【図面の簡単な説明】
【００１３】
【図１】本発明の一実施形態におけるテープ印字装置の全体を表す斜視図である。
【図２】テープ印字装置の背面側を表す斜視図である。
【図３】背面カバーを取り外した際のテープ印字装置を背面側から表す斜視図である。
【図４】ＡＣアダプタを接続していないときの状態を表す回路図である。
【図５】ＡＣアダプタを接続したときの状態を表す回路図である。
【図６】極性の異なるＡＣアダプタの表示例を表す説明図である。
【図７】ＡＣアダプタのＤＣプラグが接続されていないときの状態を表す回路図である。
【図８】適正なＡＣアダプタのＤＣプラグが接続され、一次側に電力供給されているときの状態を表す回路図である。
【図９】極性が逆である不適正なＡＣアダプタのＤＣプラグが接続され、一次側に電力供給されているときの状態を表す回路図である。
【図１０】適正または不適正なＡＣアダプタのＤＣプラグが接続され、一次側に電力供給されていない（ＡＣプラグがコンセントから外れている）ときの状態を表す回路図である。
【図１１】ＣＰＵ５１により実行される制御手順を表すフローチャートである。
【図１２】外部電源装置の変形例である電源コードユニットを表す斜視図である。
【発明を実施するための形態】
【００１４】
以下、本発明の実施形態を図面を参照しつつ説明する。本実施形態は、本発明を電子機器としてのテープ印字装置に適用した場合の実施形態である。
【００１５】
＜印字装置の概略構成＞
本実施形態のテープ印字装置１００（後述の図４、図５等参照）は、装置本体１を有している。まず、装置本体１の概略構成について図１及び図２に基づき説明する。図１及び図２に示すように、装置本体１（機器本体）は、樹脂製の筐体２と、この筐体２の背面部（装置本体１を使用する際に使用者と対向する面と反対側の面）全体を覆うように着脱可能に取り付けられる樹脂製の背面カバー３と、を備えている。また、筐体２は、上側筐体４と、下側筐体５と、を備えている。
【００１６】
上側筐体４には、中央部表面に文字等を入力するための文字キーや印刷を実行するための印刷キー等の各種キー６が配列されたキー配列部７が設けられ、上側表面の略中央部には左右方向に横長の窓部８が穿設され、この窓部８の中にはキー６から入力された文字等を表示する液晶ディスプレイ９（接続異常報知手段）が配設されている。また、筐体２の液晶ディスプレイ９の左側側面部には、カッターレバー１０が設けられ、このカッターレバー１０を親指などで内側に押すことにより、上端部に形成されるテープ排出口１１から排出された被印字テープ１２（図３参照）を切断刃（図示せず）にて切断することができる。また、被印字テープ１２は、文字が印刷される受像層、貼り付け対象に貼り付けるための接着層、及び、上記接着層の接着面を保護する剥離紙、が積層されている。
【００１７】
また、キー配列部７が設けられた下側筐体５の左右幅寸法は、窓部８が設けられた左右幅寸法よりも少し狭く形成されると共に、下側筐体５の両側部にはグリップ部材１３Ａ，１３Ｂが取り付けられている。グリップ部材１３Ａ、１３Ｂの表面には、装置に対して平行に３本の突条１４が形成されている。
【００１８】
また、装置本体１には、液晶ディスプレイ９が設けられた端部を被覆する第１保護部材１５Ａと、第１保護部材１５Ａとは別体に形成され、液晶ディスプレイ９が設けられた端部の反対側にあたる端部を被覆する第２保護部材１６Ａが取り付けられている。各保護部材１５Ａ，１６Ａは上側筐体４及び下側筐体５と背面カバー３との間で２つに分割されて構成され、上側筐体４及び下側筐体５に第１保護部材１５Ａと第２保護部材１６Ａが取り付けられ、背面カバー３に第１保護部材１５Ｂと第２保護部材１６Ｂが各々取り付けられている。
【００１９】
＜内部構造＞
次に、装置本体１の内部構造について図３により説明する。図３に示すように、下側筐体５には、テープカセット２０の外形とほぼ同じ略四角形状のカセット収納部２１が設けられている。また、このカセット収納部２１のカッターレバー１０側の端縁部近傍には、サーマルヘッド２２（印字手段）が取り付けられる薄板状のサーマルヘッド取付部２３が、装置の長手方向に沿うように直角に立設されている。また、サーマルヘッド２２に対向するカセット収納部２１の側部に設けられた駆動部２４にはプラテンホルダ（図示せず）が回動可能に設けられている。
【００２０】
背面カバー３を下側筐体５の下面に取り付けられる際は、背面カバー３の内側面に設けられる突起部（図示せず）が駆動部２４の係合孔２５内に進入する。その際、プラテンホルダがサーマルヘッド２２側に回動すると共に、テープカセット２０の被印字テープ１２の一部がサーマルヘッド２２に押し付けられる。この状態において、サーマルヘッド２２を介して印字された被印字テープ１２が駆動モータを含むテープ搬送機構（搬送手段。図示せず）により搬送されテープ排出口１１より排出される。
【００２１】
そして、下側筐体５のカセット収納部２１が設けられた反対側には、電池３８を６本並べて収納する電池収納部２７が形成されている。なお、電池収納部２７に収納された６本の電池３８は直列接続される。また、上側筐体４の内部には制御基板部３７（後述の図４等参照）が配設されている。
【００２２】
更に、筐体２のグリップ側の端部にはＤＣジャック３３（受電端子）が設けられている。ＤＣジャック３３はＡＣアダプタ３４（外部電源装置）の第１端子３４Ａの差込口である。装置本体１は、ＤＣジャック３３を介してＡＣアダプタ３４を接続することによって、ＡＣアダプタ３４を駆動電源として用いることが可能である。すなわち、本実施形態の装置本体１は、電源として、電池とＡＣアダプタ３４の２種類からどちらか一方を選択的に使用可能な多電源方式となっている。なお、装置本体１が、各請求項記載の電子機器に相当している。
【００２３】
また、背面カバー３を下側筐体５の下面に取り付ける際には、第２保護部材１６Ｂが設けられた側の端部に形成された第１差込部２８を下側筐体５の差込溝２９に差し込んだ後、第１差込部２８の反対側に設けられた第２差込部３０を下側筐体５に設けられた固定部（図示せず）に嵌合する。これによって、背面カバー３は取り付けられる。また、背面カバー３を取り外した状態では、テープカセット２０をカセット収納部２１から上方に取り出すことができる。また、電池収納部２７に収納された電池３８を順次取り出して、交換することが可能となっている。その際、第１及び第２保護部材１５Ａ，１５Ｂ，１６Ａ，１６Ｂは前記したように、上側筐体４及び下側筐体５と背面カバー３との間で２つに分割して構成されているので、各保護部材１５Ａ、１５Ｂ、１６Ａ、１６Ｂを装置本体１に装着した状態で背面カバー３を開閉することができる。また、背面カバー３の下側筐体５に収納されたテープカセット２０に対向する部分には確認窓３２が設けられ、保護部材１５Ｂは、この確認窓３２を覆うことなく背面カバー３に取り付けられている。従って、カセット収納部２１に収納したテープカセット２０の種類を、背面カバー３を開けなくとも確認窓３２を通して確認できるようになっている。
【００２４】
＜電気的構成＞
本実施形態の装置本体１では、負荷（後述）に必要な電力が上記ＡＣアダプタ３４から供給されるときには電池３８から負荷への電流の供給が停止され、負荷に必要な電力がＡＣアダプタ３４から供給されないときには電池３８から負荷に電流が供給される。これにより、電池の無駄な消耗を防止している。このような機能を実行する装置本体１及びＡＣアダプタ３４の電気的構成について、図４及び図５を参照して説明する。
【００２５】
図４及び図５において、本実施形態のテープ印字装置１００（電子機器）では、前述したように、装置本体１にＡＣアダプタ３４が接続可能になっている。
【００２６】
＜ＡＣアダプタ及びその周辺部の電気的構成＞
上記ＡＣアダプタ３４は、ＡＣコンセント側と接続するＡＣプラグ３４Ｃと、このＡＣプラグ３４Ｃに接続している電圧変換部３４Ｄと、電圧変換部３４Ｄと接続しているＤＣプラグ３４Ｅ（給電端子）とを有している。ＤＣプラグ３４Ｅは、ＤＣジャック３３の第１端子３３Ａを介して定電圧回路４７と接続される第１端子３４Ａと、ＤＣジャック３３の第２端子３３Ｂを介して定電圧回路４７と接続される第２端子３４Ｂ（接地側端子）とを有している。ＤＣジャック３３の第１端子３３Ａには、ＤＣプラグ３４ＥがＤＣジャック３３に接続されたときに開放状態となるブレーク接点３３Ｃが設けられており、このブレーク接点３３Ｃに電池３８の正極側が接続されている。このブレーク接点３３Ｃが開放された場合に備えて、電池３８の正極側と定電圧回路４７との間には、直列にツェナーダイオード４３及びダイオード４５が接続されてバイパス電源回路４６を構成している。なお、ブレーク接点３３Ｃと第１端子３３Ａとが、各請求項記載の切替機構に相当し、バイパス電源回路４６が電力補助手段に相当している。
【００２７】
そして、ＡＣアダプタ３４のＤＣプラグ３４ＥがＤＣジャック３３に接続されないときは、図４に示すように、ブレーク接点３３Ｃは導通状態（第１状態）となる。これにより、電池３８の正極側の電圧Ｖｂがブレーク接点３３Ｃを介して直接に定電圧回路４７に供給され、定電圧回路４７において所定の電圧に変換されて制御基板部３７に対して供給される。
【００２８】
また、ＡＣアダプタ３４のＤＣプラグ３４ＥがＤＣジャック３３に接続されたときは、図５に示すように、ブレーク接点３３Ｃは開放状態（第２状態）となる。この結果、ＡＣアダプタ３４の電圧変換部３４Ｄの電圧が、ＤＣプラグ３４Ｅの第１端子３４Ａ及びＤＣジャック３３の第１端子３３Ａを介して定電圧回路４７に供給される。
【００２９】
＜その他の電気的構成＞
また、装置本体１には、制御基板部３７と、直列に接続された６本の上記電池３８と、ＡＣアダプタ３４を接続するための上記ＤＣジャック３３と、負荷３９（負荷回路）と、負荷３９への電源供給を制御する供給スイッチ４０と、互いに直列に接続されている抵抗Ｒ１（プルアップ抵抗）及び抵抗Ｒ２，Ｒ３（分圧抵抗）と、制御基板部３７にかかる電圧を安定化する上記定電圧回路４７と、上記バイパス電源回路４６と、抵抗Ｒ３に並列接続されるツェナーダイオードＤｚと、アノード側が電池３８の負極側（ＧＮＤ）に接続され且つカソード側が上記ＤＣジャック３３の第２端子３３Ｂに接続される逆流防止ダイオードＤ１と、が設けられ、ＤＣジャック３３の第２端子３３Ｂはプルアップ抵抗Ｒ１と抵抗Ｒ２との間に接続されている。
【００３０】
制御基板部３７は、上記液晶ディスプレイ９と、電圧を測定するＡ／Ｄ入力部４８と、装置本体１を動作させるプログラム及びデータ等が格納されているＲＯＭ５４と、ＣＰＵ５１が演算した結果等を一時的に記憶するＲＡＭ５５と、ＲＡＭ５５の一時記憶機能を利用しつつ、ＲＯＭ５４に予め記憶された各種プログラムを実行し全体の制御を行うＣＰＵ５１と、が備えられている。
【００３１】
ＤＣジャック３３は、外部からＡＣアダプタ３４を接続する接続口である。ＤＣジャック３３にＡＣアダプタ３４が装着されている場合には、前述したように、電池３８に接続されるブレーク接点３３Ｃと定電圧回路４７に接続される第１端子３３Ａとが非接触状態となる。この結果、電池３８の装着、未装着に関わらず装置本体１の各部にはＡＣアダプタ３４から電力が供給される（図５参照）。一方、ＤＣジャック３３にＡＣアダプタ３４が未装着の場合には、電池３８に接続されるブレーク接点３３Ｃと定電圧回路４７に接続される第１端子３３Ａとが接触状態となり、装置本体１の各部には電池３８から電力が供給される（図４参照）。
【００３２】
供給スイッチ４０は、ＣＰＵ５１に接続されており、ＣＰＵ５１により前述のサーマルヘッド２２等による印刷処理においてオン制御され、印刷処理以外のその他の処理においてオフ制御される。
【００３３】
負荷３９は、サーマルヘッド２２及び前述のテープ搬送機構に含まれる駆動モータ（図示せず）等から構成される。負荷３９には、後述の印刷処理において供給スイッチ４０がオン状態に制御されることにより、電池３８又はＡＣアダプタ３４からの電力が供給される一方、印刷処理以外においては供給スイッチ４０がオフ状態（スタンバイ状態）に制御され、電力が供給されない。
【００３４】
プルアップ抵抗Ｒ１及び抵抗Ｒ２，Ｒ３は互いに直列に接続されている。この例では、例えばＲ１，Ｒ２，Ｒ３それぞれの抵抗値はすべて１０ｋΩに設定されている。この結果、プルアップ抵抗Ｒ１と抵抗Ｒ２との間の電圧Ｖａｄは、ＤＣプラグ３３の第２端子３３Ｂの電圧を所定の割合（この例では１／２）に分圧した電圧となる。そして、Ａ／Ｄ入力部４８は、分圧抵抗Ｒ２と分圧抵抗Ｒ３との間の接続点５３に接続され、上記電圧Ｖａｄをさらに１／２に分圧した電圧Ｖｃｎを測定する。
【００３５】
また、定電圧回路４７は、制御基板部３７へかかる電圧を所定値に安定化する。本実施形態においては、例えば３［Ｖ］となるように安定化している。
【００３６】
なお、上記において、ブレーク接点３３Ｃ及び第１端子３３Ａからなる上記切替機構と、定電圧回路４７と、制御基板部３７上の各要素（Ａ／Ｄ入力部４８、ＣＰＵ５１、ＲＡＭ５５、ＲＯＭ５４、液晶ディスプレイ９）とが、各請求項記載の制御回路に相当している。
【００３７】
＜本実施形態の特徴＞
以上説明した基本構成において、本実施形態の最大の特徴は、操作者に対し、ＡＣアダプタ３４の接続異常状態の検出にある。以下、その詳細について説明する。
【００３８】
前述したように、本実施形態のテープ印字装置１００は、装置本体１の負荷３９や定電圧回路４７に対し、内部に収納された電池３８、及び、ＡＣアダプタ３４のいずれによっても、電力を供給可能に構成されている。すなわち、操作者がＡＣアダプタ３４のＤＣプラグ３４ＥとＤＣジャック３３とを接続せずに用いる場合には、上述のようにブレーク接点３３Ｃ及び第１端子３３Ａを介し電池３８の正極側と定電圧回路４７とが導通される（前述の第１状態）ことで、電池３８から定電圧回路４７や負荷３９へと電力が供給される。操作者がＡＣアダプタ３４のＤＣプラグ３４ＥとＤＣジャック３３とを接続して用いる場合には、上述のように電池３８の正極側と定電圧回路４７とが非導通となる（前述の第２状態）ことにより、ＡＣアダプタ３４から定電圧回路４７や負荷３９へと電力が供給される。
【００３９】
ここで、上記のようにＤＣプラグ３４ＥとＤＣジャック３３とが接続され第２状態となっているにもかかわらず、操作者の失念やＡＣアダプタ３４への外力負荷等、何らかの理由でＡＣアダプタ３４のＡＣプラグ３４ＣのＡＣコンセント側への接続が行われず（又は接続が外れ）、ＡＣアダプタ３４から定電圧回路４７への電力供給が行われない可能性があり得る。
【００４０】
あるいは、本来は所定の極性となるＡＣアダプタ３４のＤＣプラグ３４Ｅが接続されるべきＤＣジャック３３に対し、操作者が誤って逆の極性となるＡＣアダプタ３４のＤＣプラグ３４Ｅを接続してしまう可能性もある。すなわち、ＡＣアダプタ３４には、図６（ａ）に示すように、ＤＣプラグ３４Ｅの上記第１端子３４Ａが正極性で、上記第２端子３４Ｂが負極性として用いられるいわゆるセンターマイナスの構成と、図６（ｂ）に示すように、これとは逆の第１端子３４Ａが負極性で、第２端子３４Ｂが正極性として用いられるいわゆるセンタープラスの構成との、２つのタイプが存在する。したがって、この例では、操作者が誤って逆の極性となる後者のＡＣアダプタ３４を、ＤＣジャック３３に接続してしまうという可能性がある。
【００４１】
上記のような接続異常状態では、上記第２状態への切り替わりによって電池３９からは定電圧回路４７や負荷３９へ電力供給が行われないにもかかわらず、ＡＣアダプタ３４からも定電圧回路４７や負荷３９へ電力供給が行われない。
【００４２】
＜電圧Ｖｃｎを用いた接続異常検出＞
そこで、本実施形態においては、前述の抵抗Ｒ２と抵抗Ｒ３との間の接続点５３での電圧Ｖｃｎ（電圧Ｖａｄを１／２に分圧したもの）をＡ／Ｄ変換した後にＣＰＵ５１に入力し、この電圧Ｖｃｎの変化挙動を利用して、上記接続異常の検出を行う。以下、その検出原理を図７〜図１０により説明する。
【００４３】
なお、以下の説明においては、一例として、プルアップ抵抗Ｒ１の端子電圧Ｖｃｃ＝３［Ｖ］、電池３８の正極側の電圧Ｖｂ＝９［Ｖ］、プルアップ抵抗Ｒ１及び抵抗Ｒ２，Ｒ３それぞれの抵抗値が１０［ＫΩ］、バイパス電源回路４６のツェナーダイオード４３及びダイオード４５それぞれにおける保持電圧Ｖｚ＝４．４［Ｖ］及びＶｆ＝０．６［Ｖ］、逆流防止用のダイオードＤ１の保持電圧（順方向電圧降下）０．６［Ｖ］、ツェナーダイオードＤｚのクランプ電圧２．８［Ｖ］であり、また適正なＡＣアダプタ３４は定格電圧９［Ｖ］でセンターマイナス極性である場合を例にとって説明する。
【００４４】
（Ａ）アダプタ未接続
まず、前述の図４のようにＡＣアダプタ３４とＤＣジャック３３とが接続されていない場合を想定する。この場合、図７において、既に述べたようにブレーク接点３３Ｃと第１端子３３Ａとが導通状態となり、ダイオードＤ１のカソード側にある第２端子３３ＢはＧＮＤに対していわゆるフローティング状態となる。この結果、プルアップ抵抗Ｒ１における端子電圧Ｖｃｃが、上記３つの抵抗Ｒ１，Ｒ２，Ｒ３で単純に分圧される。すなわち、プルアップ抵抗Ｒ１と分圧抵抗Ｒ２との間の上記電圧Ｖａｄは２［Ｖ］となり、分圧抵抗Ｒ２，Ｒ３間の上記電圧Ｖｃｎは１［Ｖ］となる。
【００４５】
（Ｂ）適正アダプタ接続
次に、前述の図５のようにＡＣアダプタ３４とＤＣジャック３３とが接続された場合を想定する。この場合、図８において、既に述べたように、ＡＣアダプタ３４の第１端子３４ＡとＤＣジャック３３の第１端子３３Ａとが導通するとともに、ＡＣアダプタ３４の第２端子３４ＢとＤＣジャック３３の第２端子３３Ｂとが導通することで、ＡＣアダプタ３４の第１端子３４Ａ側が正電位、第２端子３４Ｂ側が負電位となる。このとき、ダイオードＤ１には順方向の電流が流れ、保持電圧が前述のように０．６［Ｖ］であることから、ダイオードＤ１のカソード側にある第２端子３３ＢのＧＮＤに対する電圧は−０．６［Ｖ］となる。この結果、上記逆流防止用のダイオードＤ１によってクランプされることで上記電圧Ｖａｄも−０．６［Ｖ］となる。この結果、当該電圧Ｖａｄが、上記２つの抵抗Ｒ２，Ｒ３で単純に分圧されて、分圧抵抗Ｒ２，Ｒ３間の上記電圧Ｖｃｎは−０．３［Ｖ］となる。
【００４６】
（Ｃ）不適正アダプタ接続
次に、前述の不適正なＡＣアダプタ３４とＤＣジャック３３とが接続された場合を想定する。この場合、上記のように、ＡＣアダプタ３４の第１端子３４ＡとＤＣジャック３３の第１端子３３Ａ、アダプタ３４の第２端子３４ＢとＤＣジャック３３の第２端子３３Ｂとが導通する。しかしながら、極性が逆であることから、ＡＣアダプタ３４の第１端子３４Ａ側が負電位、第２端子３４Ｂ側が正電位となり、第２端子３４Ｂ側の電位が第１端子３４Ａ側の電位よりも９［Ｖ］高くなる。
【００４７】
ここで、前述のように電池３８の正極側の電圧Ｖｂ＝９［Ｖ］であるが、前述のようにバイパス電源回路４６での電圧降下が５［Ｖ］あることから、バイパス電源回路４６の出口での供給電圧Ｖｂｐ＝４［Ｖ］となる。この電圧Ｖｂｐが第１端子３４Ａ側に加わることで第２端子３４Ｂ側の電圧は１３［Ｖ］となり、上記電圧Ｖａｄも１３［Ｖ］となる。当該電圧Ｖａｄが、上記２つの抵抗Ｒ２，Ｒ３で単純に分圧されると６．５［Ｖ］となるが、前述のようにツェナーダイオードＤｚのクランプ電圧を（高電圧印加による回路損傷を防止するために）２．８［Ｖ］としていることから、分圧抵抗Ｒ２，Ｒ３間の上記電圧Ｖｃｎは２．８［Ｖ］となる。
【００４８】
（Ｄ）アダプタのプラグ抜け
次に、前述の図５のようにＡＣアダプタ３４とＤＣジャック３３とが接続されたが、何らかの原因でＡＣアダプタ３４のＡＣプラグ３４Ｃが外れ、ＡＣアダプタ３４へ一次側の電源が供給されなくなった場合を想定する。この場合、図１０において、既に述べたように、ＡＣアダプタ３４の第１端子３４ＡとＤＣジャック３３の第１端子３３Ａとが導通するとともに、ＡＣアダプタ３４の第２端子３４ＢとＤＣジャック３３の第２端子３３Ｂとが導通している。しかしながら、一次側電源が供給されずＡＣアダプタ３４からの出力がないことからＡＣアダプタ３４の第１端子３４Ａ側と第２端子３４Ｂ側とは実質的に同電位となる。この結果、前述のバイパス電源回路４６の出口での供給電圧Ｖｂｐ、第１端子３４Ａ側の電圧、第２端子３４Ｂ側の電圧がすべて４［Ｖ］となり、上記電圧Ｖａｄも４［Ｖ］となる。そして、当該電圧Ｖａｄが、上記２つの抵抗Ｒ２，Ｒ３で単純に分圧され、分圧抵抗Ｒ２，Ｒ３間の上記電圧Ｖｃｎは２．０［Ｖ］となる。
【００４９】
上記の挙動に対応し、ＣＰＵ５１は、入力される電圧Ｖｃｎと所定のしきい値との比較に基づき、現在の状況が上記「アダプタ未接続」「適正アダプタ接続」「不適正アダプタ接続」「アダプタのプラグ抜け」のいずれに該当するかの判定を行う。そして、ＣＰＵ５１の制御により、液晶ディスプレイ９において、その判定結果に対応した表示（視覚的報知）が行われる。具体的には、電圧Ｖｃｎが０．８［Ｖ］〜１．２［Ｖ］（第１電圧範囲）の場合、上記「アダプタ未接続」の状態（アダプタ非接続状態）であると判定され、液晶ディスプレイ９に「アダプタは接続されていません。」と表示される。また、電圧Ｖｃｎが０．２［Ｖ］以下（第２電圧範囲）の場合、上記「適正アダプタ接続」の状態（アダプタ正常接続状態）であると判定され、液晶ディスプレイ９に「適正アダプタが接続されています。」と表示される。また、電圧Ｖｃｎが１．８［Ｖ］〜２．２［Ｖ］（第３電圧範囲）の場合、上記「アダプタのプラグ抜け」の状態（アダプタ無給電状態）であると判定され、液晶ディスプレイ９に「アダプタがコンセントから外れていませんか？」と表示される。また、電圧Ｖｃｎが２．６［Ｖ］以上（第４電圧範囲）の場合、上記「不適正アダプタ接続」の状態（アダプタ逆極性接続状態）であると判定され、液晶ディスプレイ９に「不適正アダプタが接続されています。逆の極性ですので、すぐに取り外してください。」と表示される。
【００５０】
＜制御手順＞
上記を実現するためにＣＰＵ５１により実行される制御手順を、図１１により説明する。図１１において、まずステップＳ１で、ＣＰＵ５１は、Ａ／Ｄ入力部４８により測定された上記電圧Ｖｃｎを取得する。その後、ステップＳ２に移る。
【００５１】
ステップＳ２では、ＣＰＵ５１は、ステップＳ１で取得された電圧Ｖｃｎの値が０．２［Ｖ］以下であるか否かを判定する。電圧Ｖｃｎが０．２［Ｖ］以下であれば判定が満たされ、ステップＳ３に移る。
【００５２】
ステップＳ３では、ＣＰＵ５１は、液晶ディスプレイ９に制御信号を出力し、前述のように「適正アダプタが接続されています。」と表示させ、このフローを終了する。
【００５３】
一方、上記ステップＳ２において、電圧Ｖｃｎが０．２［Ｖ］より大きければ判定が満たされず、ステップＳ４に移る。
【００５４】
ステップＳ４では、ＣＰＵ５１は、ステップＳ１で取得された電圧Ｖｃｎの値が０．８［Ｖ］以上１．２［Ｖ］以下であるか否かを判定する。電圧Ｖｃｎがこの範囲内であれば判定が満たされ、ステップＳ５に移る。
【００５５】
ステップＳ５では、ＣＰＵ５１は、液晶ディスプレイ９に制御信号を出力し、前述のように「アダプタは接続されていません。」と表示させ、このフローを終了する。
【００５６】
一方、上記ステップＳ４において、電圧Ｖｃｎが１．２［Ｖ］より大きいか又は０．８［Ｖ］未満であれば判定が満たされず、ステップＳ６に移る。
【００５７】
ステップＳ６では、ＣＰＵ５１は、ステップＳ１で取得された電圧Ｖｃｎの値が１．８［Ｖ］以上２．２［Ｖ］以下であるか否かを判定する。電圧Ｖｃｎがこの範囲内であれば判定が満たされ、ステップＳ７に移る。
【００５８】
ステップＳ７では、ＣＰＵ５１は、液晶ディスプレイ９に制御信号を出力し、前述のように「アダプタがコンセントから外れていませんか？」と表示させ、このフローを終了する。
【００５９】
一方、上記ステップＳ６において、電圧Ｖｃｎが２．２［Ｖ］より大きいか又は１．８［Ｖ］未満であれば判定が満たされず、ステップＳ８に移る。
【００６０】
ステップＳ８では、ＣＰＵ５１は、ステップＳ１で取得された電圧Ｖｃｎの値が２．６［Ｖ］以上であるか否かを判定する。電圧Ｖｃｎが２．６［Ｖ］以上であれば判定が満たされ、ステップＳ９に移る。
【００６１】
ステップＳ９では、ＣＰＵ５１は、液晶ディスプレイ９に制御信号を出力し、前述のように「不適正アダプタが接続されています。逆の特性ですのですぐに取り外して下さい」と表示させ、このフローを終了する。
【００６２】
一方、上記ステップＳ８において、電圧Ｖｃｎが２．６［Ｖ］未満であれば判定が満たされず、ステップＳ１０に移る。
【００６３】
ステップＳ１０では、ＣＰＵ５１は、液晶ディスプレイ９に制御信号を出力し、措定のエラー表示を行わせ、このフローを終了する。
【００６４】
なお、以上において、ステップＳ２、ステップＳ４、ステップＳ６、ステップＳ８が、各請求項記載の電圧判定手段として機能すると共に、接続異常検出手段としても機能する。
【００６５】
以上説明したように、本実施形態では、ＣＰＵ５１に入力されるＤＣジャック３３の第２端子３３Ｂの電圧値の変化挙動に応じて、ＡＣアダプタ３４の接続異常状態を検出するとともに、当該接続異常の検出時には、液晶ディスプレイ９が対応する報知を行う。これにより、操作者に対し、上記のような接続異常状態にあることを報知し、動作不都合が生じている原因が何であるかを確実に認識させることができる。
【００６６】
また、本実施形態では特に、ＡＣアダプタ３４のＤＣプラグ３４ＥがＤＣジャック３３に接続され電池３８の正極側と負荷３９や定電圧回路４７とが非導通となった上記第２状態においても、バイパス電源回路４６によって、電池３８から定電圧回路４７への電力供給が確保される。但しバイパス電源回路４６は許容される電流が小さいので負荷３９へは電力供給ができない。そして、このようにして確保された電力によってＣＰＵ５１が動作をして、第２端子３３Ｂの電圧値の変化挙動に応じて接続異常状態を検出することにより、確実な電力源により信頼性の高い検出を行うことができる。
【００６７】
また、本実施形態では特に、ＣＰＵ５１が電圧Ｖｃｎと予め定めたしきい値（図１１の例では０．２［Ｖ］、０．８［Ｖ］、１．２［Ｖ］、１．８［Ｖ］、２．２［Ｖ］）との大小を比較するだけで、前述のアダプタ非接続状態、アダプタ正常接続状態、アダプタ無給電状態のいずれであるかを見分けることができる。そして、少なくとも、電圧Ｖｃｎが１．８［Ｖ］〜２．２［Ｖ］の範囲であった場合には、対応する報知を行うことで、上記アダプタ無給電状態であることを操作者に認識させることができる。
【００６８】
またさらに、ＣＰＵ５１が電圧Ｖｃｎと別のしきい値（図１１の例では２．６［Ｖ］）との大小を比較するだけで、前述の逆極性接続状態であるかを見分けることができる。そして、電圧Ｖｃｎが２．６［Ｖ］以上であった場合には、対応する報知を行うことで、上記逆極性接続状態であることを操作者に認識させることができる。
【００６９】
なお、本発明は、上記実施形態に限られるものではなく、その趣旨及び技術的思想を逸脱しない範囲内で種々の変形が可能である。以下、そのような変形例を順を追って説明する。
【００７０】
（１）他の外部電源装置を用いる場合
上記においては、外部電源装置としてＡＣアダプタ３４が備えられる場合を例にとって説明を行ったが、これに限られない。すなわち、上記ＡＣアダプタ３４に代えて図１２に示すシガープラグ付きの電源コードユニット１３４（外部電源装置）を用いて、装置本体１に電源を供給するようにしてもよい。
【００７１】
この場合、電源コードユニット１３４は、上記ＡＣアダプタ３４と同等の電気的構成を備えており、ＡＣコンセント側と接続するＡＣプラグ１３４Ｃと、このＡＣプラグ１３４Ｃに接続している電圧変換部（図示せず）と、ＤＣプラグ１３４Ｅ（給電端子）とを有している。ＤＣプラグ１３４Ｅは、上記ＤＣジャック３３の第１端子３３Ａを介して定電圧回路４７と接続される第１端子（図示せず）と、ＤＣジャック３３の第２端子３３Ｂを介して定電圧回路４７と接続される第２端子（図示せず。接地側端子）とを有している。
【００７２】
そして、電源コードユニット１３４のＤＣプラグ１３４ＥがＤＣジャック３３に接続されないときは、前述の図４と同様、ブレーク接点３３Ｃは導通状態（第１状態）となって電池３８の正極側の電圧Ｖｂがブレーク接点３３Ｃを介して直接に定電圧回路４７に供給される。電源コードユニット１３４のＤＣプラグ１３４ＥがＤＣジャック３３に接続されたときは、前述の図５と同様、ブレーク接点３３Ｃは開放状態（第２状態）となって電源コードユニット１３４の上記電圧変換部の電圧が、ＤＣプラグ１３４Ｅの上記第１端子及びＤＣジャック３３の第１端子３３Ａを介して定電圧回路４７に供給される。
【００７３】
本変形例においても、上記実施形態と同様、ＣＰＵ５１に入力されるＤＣジャック３３の第２端子３３Ｂの電圧値の変化挙動に応じて、電源コードユニット１３４の接続異常状態を検出するとともに、当該接続異常の検出時には、液晶ディスプレイ９が対応する報知を行う。これにより、操作者に対し、上記のような接続異常状態にあることを報知し、動作不都合が生じている原因が何であるかを確実に認識させることができる。
【００７４】
（２）その他
なお、以上において、図４、図５、図７、図８、図９、１０等の各図中に示す矢印は信号の流れの一例を示すものであり、信号の流れ方向を限定するものではない。
【００７５】
また、図１１に示すフローチャートは本発明を上記フローに示す手順に限定するものではなく、発明の趣旨及び技術的思想を逸脱しない範囲内で手順の追加・削除又は順番の変更等をしてもよい。
【００７６】
また、以上既に述べた以外にも、上記実施形態や各変形例による手法を適宜組み合わせて利用しても良い。
【００７７】
その他、一々例示はしないが、本発明は、その趣旨を逸脱しない範囲内において、種々の変更が加えられて実施されるものである。
【符号の説明】
【００７８】
１          装置本体
３３        ＤＣジャック
３４        ＡＣアダプタ（外部電源装置）
３４Ｅ      ＤＣプラグ
４６        電流制御機構（電力補助手段）
１００      テープ印字装置（電子機器）
１３４      電源コードユニット（外部電源装置）
【図１】
0005754589.tif 000002
【図２】
0005754589.tif 000003
【図３】
0005754589.tif 000004
【図４】
0005754589.tif 000005
【図５】
0005754589.tif 000006
【図６】
0005754589.tif 000007
【図７】
0005754589.tif 000008
【図８】
0005754589.tif 000009
【図９】
0005754589.tif 000010
【図１０】
0005754589.tif 000011
【図１１】
0005754589.tif 000012
【図１２】
0005754589.tif 000013